(57)【要約】      （修正有）【課題】血圧計において、カフ、空気ポンプ又は排気バルブから発生する微小な雑音を減衰させ、圧力センサへ及ぼす影響を軽減して、血圧を正確に測定する血圧計を提供する。【解決手段】上記目的を達成するために、本発明の血圧計は、生体の一部を圧迫するカフと、前記カフに空気を供給する空気ポンプと、前記カフの内部の空気の圧力を検出する圧力センサと、前記カフの内部の空気を排気する排気バルブと、空気を収容する１つのチャンバーと、を備え、前記カフ、前記空気ポンプ、前記圧力センサ及び前記排気バルブのそれぞれが空気流通経路で相互に接続され、前記カフ、前記圧力センサ又は前記排気バルブのいずれかのみに接続される空気流通経路のいずれかに前記チャンバーが配置されている。【選択図】図１
2006255133.tif 000002
【特許請求の範囲】
【請求項１】
生体の一部を圧迫するカフと、
前記カフに空気を供給する空気ポンプと、
前記カフの内部の空気の圧力を検出する圧力センサと、
前記カフの内部の空気を排気する排気バルブと、
空気を収容する１つのチャンバーと、を備え、
前記カフ、前記空気ポンプ、前記圧力センサ及び前記排気バルブのそれぞれが空気流通経路で相互に接続され、
前記カフ、前記圧力センサ又は前記排気バルブのいずれかのみに接続される空気流通経路のいずれかに前記チャンバーが配置されたチャンバー付き血圧計。
【請求項２】
生体の一部を圧迫するカフと、
前記カフに空気を供給する空気ポンプと、
前記カフの内部の空気の圧力を検出する圧力センサと、
前記カフの内部の空気を排気する排気バルブと、
空気を収容する２つのチャンバーと、を備え、
前記カフ、前記空気ポンプ、前記圧力センサ及び前記排気バルブのそれぞれが空気流通経路で相互に接続され、
前記カフ、前記空気ポンプ、前記圧力センサ又は前記排気バルブのいずれかのみに接続される空気流通経路のうち２箇所に前記チャンバーが配置されたチャンバー付き血圧計。
【請求項３】
生体の一部を圧迫するカフと、
前記カフに空気を供給する空気ポンプと、
前記カフの内部の空気の圧力を検出する圧力センサと、
前記カフの内部の空気を排気する排気バルブと、
空気を収容する３つのチャンバーと、を備え、
前記カフ、前記空気ポンプ、前記圧力センサ及び前記排気バルブのそれぞれが空気流通経路で相互に接続され、
前記カフ、前記空気ポンプ、前記圧力センサ又は前記排気バルブのいずれかのみに接続される空気流通経路のうち３箇所に前記チャンバーが配置されたチャンバー付き血圧計。
【請求項４】
生体の一部を圧迫するカフと、
前記カフに空気を供給する空気ポンプと、
前記カフの内部の空気の圧力を検出する圧力センサと、
前記カフの内部の空気を排気する排気バルブと、
空気を収容する４つのチャンバーと、を備え、
前記カフ、前記空気ポンプ、前記圧力センサ及び前記排気バルブのそれぞれが空気流通経路で相互に接続され、
前記カフ、前記空気ポンプ、前記圧力センサ又は前記排気バルブのいずれかのみに接続される空気流通経路のそれぞれに前記チャンバーが配置されたチャンバー付き血圧計。
【請求項５】
生体の一部を圧迫するカフと、
前記カフに空気を供給する空気ポンプと、
前記カフの内部の空気の圧力を検出する圧力センサと、
前記カフの内部の空気を排気する排気バルブと、
空気を収容する１つのチャンバーと、を備え、
前記カフ、前記空気ポンプ、前記圧力センサ及び前記排気バルブのそれぞれが前記チャンバーを介して空気流通経路で相互に接続されたチャンバー付き血圧計。
【請求項６】
生体の一部を圧迫するカフと、
前記カフに空気を供給する空気ポンプと、
前記カフの内部の空気の圧力を検出する圧力センサと、
前記カフの内部の空気を排気する排気バルブと、
空気を収容する１つのチャンバーと、を備え、
前記カフ、前記空気ポンプ及び前記排気バルブのそれぞれが空気流通経路で相互に接続され、
前記圧力センサが前記カフに空気流通経路で接続され、
前記カフ、前記空気ポンプ、前記圧力センサ又は前記排気バルブのいずれかのみに接続される空気流通経路のいずれかに前記チャンバーが配置されたチャンバー付き血圧計。
【請求項７】
生体の一部を圧迫するカフと、
前記カフに空気を供給する空気ポンプと、
前記カフの内部の空気の圧力を検出する圧力センサと、
前記カフの内部の空気を排気する排気バルブと、
空気を収容する２つのチャンバーと、を備え、
前記カフ、前記空気ポンプ及び前記排気バルブのそれぞれが空気流通経路で相互に接続され、
前記圧力センサが前記カフに空気流通経路で接続され、
前記カフ、前記空気ポンプ、前記圧力センサ又は前記排気バルブのいずれかのみに接続される空気流通経路のうち２箇所に前記チャンバーが配置されたチャンバー付き血圧計。
【請求項８】
生体の一部を圧迫するカフと、
前記カフに空気を供給する空気ポンプと、
前記カフの内部の空気の圧力を検出する圧力センサと、
前記カフの内部の空気を排気する排気バルブと、
空気を収容する１つのチャンバーと、を備え、
前記カフ、前記空気ポンプ及び前記圧力センサのそれぞれが空気流通経路で相互に接続され、
前記排気バルブが前記カフに空気流通経路で接続され、
前記カフ、前記空気ポンプ、前記圧力センサ又は前記排気バルブのいずれかのみに接続される空気流通経路のうちいずれかに前記チャンバーが配置されたチャンバー付き血圧計。
【請求項９】
生体の一部を圧迫するカフと、
前記カフに空気を供給する空気ポンプと、
前記カフの内部の空気の圧力を検出する圧力センサと、
前記カフの内部の空気を排気する排気バルブと、
空気を収容する２つのチャンバーと、を備え、
前記カフ、前記空気ポンプ及び前記圧力センサのそれぞれが空気流通経路で相互に接続され、
前記排気バルブが前記カフに空気流通経路で接続され、
前記カフ、前記空気ポンプ、前記圧力センサ又は前記排気バルブのいずれかのみに接続される空気流通経路のうち２箇所に前記チャンバーが配置されたチャンバー付き血圧計。
【請求項１０】
生体の一部を圧迫するカフと、
前記カフに空気を供給する空気ポンプと、
前記カフの内部の空気の圧力を検出する圧力センサと、
前記カフの内部の空気を排気する排気バルブと、
空気を収容する１つのチャンバーと、を備え、
前記カフ、前記圧力センサ及び前記排気バルブのそれぞれが空気流通経路で相互に接続され、
前記空気ポンプが前記カフに空気流通経路で接続され、
前記カフ、前記空気ポンプ、前記圧力センサ又は前記排気バルブのいずれかのみに接続される空気流通経路のうちいずれかに前記チャンバーが配置されたチャンバー付き血圧計。
【請求項１１】
生体の一部を圧迫するカフと、
前記カフに空気を供給する空気ポンプと、
前記カフの内部の空気の圧力を検出する圧力センサと、
前記カフの内部の空気を排気する排気バルブと、
空気を収容する２つのチャンバーと、を備え、
前記カフ、前記圧力センサ及び前記排気バルブのそれぞれが空気流通経路で相互に接続され、
前記空気ポンプが前記カフに空気流通経路で接続され、
前記カフ、前記空気ポンプ、前記圧力センサ又は前記排気バルブのいずれかのみに接続される空気流通経路のうち２箇所に前記チャンバーが配置されたチャンバー付き血圧計。
【請求項１２】
前記チャンバーは空気容量を拡張するための取り外し可能な増設チャンバーをさらに備えることを特徴とする請求項１から１１に記載のいずれかのチャンバー付き血圧計。
【請求項１３】
前記チャンバーと前記増設チャンバーとの間に空気の流通を遮断する弁を備えることを特徴とする請求項１２に記載のチャンバー付き血圧計。
【請求項１４】
前記チャンバー又は前記増設チャンバーは、空気の圧力に応じて膨張することを特徴とする請求項１から１２に記載のいずれかのチャンバー付き血圧計。
【請求項１５】
前記チャンバーの空気容量は前記カフの空気容量と同等以上、１０倍以下であることを特徴とする請求項１から１４に記載のいずれかのチャンバー付き血圧計。
【請求項１６】
前記カフの空気容量は１ｃｃ以上、１０ｃｃ以下であることを特徴とする請求項１から１５に記載のいずれかのチャンバー付き血圧計。
【発明の詳細な説明】
【技術分野】
【０００１】
本発明は、生体の一部を押圧するカフを使用するチャンバー付き血圧計に関する。
【背景技術】
【０００２】
高齢化が進むに従って、高血圧などの生活習慣病とよばれる疾患に対する関心が高まっている。特に、高血圧の場合、日常生活において、継続的に血圧を測定することが重要であると認識されている。
【０００３】
日常生活において、継続的に血圧を測定する場合、従来から広く利用されている上腕部において測定するよりも、指や耳などの生体の抹消部において測定する方が便利であるので、各種の抹消部による血圧測定器が開発されている（例えば、非特許文献１参照。）。
【０００４】
抹消部における血圧測定においては、生体を圧迫するカフを小型化できるという利点があるが、カフの空気容量が小さいために、空気ポンプと排気バルブによる加圧と減圧の制御が正確に行なえないという課題がある。すなわち、一定の空気量を排気する定速排気バルブを使用して減圧する過程においては、空気の排気に伴い降圧速度が変化するので、空気容量が小さい場合、一定速度の減圧が難しいという課題があった。また、カフの空気容量が小さい場合、空気ポンプ、カフ又は排気バルブなどの微小なリークの影響が相対的に大きくなる。さらに、空気ポンプ、カフ又は排気バルブの雑音が圧力センサによる圧力の測定の妨害になるという課題もある。
【０００５】
上記の課題に対して、空気タンクを介して加圧ポンプとカフ、圧力センサ及び排気バルブの各々と接続することにより、血圧計全体の空気容量を増加させ、降圧速度の変動率を小さくする手段が開示されている（例えば、特許文献１参照。）。
【０００６】
【特許文献１】特開平５−３２９１１１号公報
【非特許文献１】Ｏｓａｍｕ  Ｔｏｃｈｉｋｕｂｏ，Ｙｏｓｈｉｙｕｋｉ  Ｋａｗａｓｏ，  Ｅｉｊｉ  Ｍｉｙａｊｉｍａ，  Ｍａｓａｏ  Ｉｓｈｉｉ、“Ａ  ｎｅｗ  ｐｈｏｔｏ−ｏｓｃｉｌｌｏｍｅｔｒｉｃ  ｍｅｔｈｏｄ  ｅｍｐｌｏｙｉｎｇ  ｔｈｅ  ｄｅｌｔａ−ａｌｇｏｒｉｔｈｍ  ｆｏｒ  ａｃｃｕｒａｔｅ  ｂｌｏｏｄ  ｐｒｅｓｓｕｒｅ  ｍｅａｓｕｒｅｍｅｎｔ”，  Ｊｏｕｒｎａｌ  ｏｆ  Ｈｙｐｅｒｔｅｎｓｉｏｎ  １９９７，  Ｖｏｌ．１５，  Ｎｏ．２，  ｐｐ．１４８−１５１
【発明の開示】
【発明が解決しようとする課題】
【０００７】
上記の従来例は、１００ｃｃ程度の比較的大型のカフの空気を単位時間に一定の空気量を排気する定速排気バルブにより減圧する場合、圧力の降下率の変化を小さくする効果はあるが、カフ又は排気バルブから発生する微小な雑音を減衰させる効果は無い。特に、生体の抹消部において血圧を測定する血圧計においては、カフの空気容量が従来のカフに比べて１０分の１程度であり、カフ、空気ポンプ又は排気バルブから発生する微小な雑音が圧力測定の妨害になる。従って、上記の従来例に示される手段では、生体の抹消部において血圧を測定する血圧計においては不十分であるという課題があった。
【０００８】
本発明は、血圧計において、カフ、空気ポンプ又は排気バルブから発生する微小な雑音を減衰させ、圧力センサへ及ぼす影響を軽減して、血圧を正確に測定する血圧計を提供することを目的とする。
【課題を解決するための手段】
【０００９】
上記目的を達成するために、本発明の血圧計は、生体の一部を圧迫するカフと、前記カフに空気を供給する空気ポンプと、前記カフの内部の空気の圧力を検出する圧力センサと、前記カフの内部の空気を排気する排気バルブと、空気を収容する１つのチャンバーと、を備え、前記カフ、前記空気ポンプ、前記圧力センサ及び前記排気バルブのそれぞれが空気流通経路で相互に接続され、前記カフ、前記圧力センサ又は前記排気バルブのいずれかのみに接続される空気流通経路のいずれかに前記チャンバーが配置されたチャンバー付き血圧計である。
【００１０】
上記のように、本発明の血圧計は、前記チャンバーが配置されることにより、血圧計全体の空気容量が拡張し、前記排気バルブにより排気する時の前記カフの圧力の減圧速度の変動が小さくなり、また前記空気ポンプ、前記圧力センサ又は前記排気バルブの微小なリークの影響が相対的に小さくなり、前記カフのみに接続される空気流通経路に配置される前記チャンバーは前記カフで発生し前記圧力センサに妨害を与える雑音を減衰させ、前記圧力センサのみに接続される空気流通経路に配置される前記チャンバーは前記カフ、前記空気ポンプ又は前記排気バルブで発生し前記圧力センサに妨害を与える雑音を減衰させ、前記排気バルブのみに接続される空気流通経路に配置される前記チャンバーは前記排気バルブで発生し前記圧力センサに妨害を与える雑音を減衰させ、血圧を正確に測定することができる。上記の前記チャンバーが配置されることにより得られる効果は以下に述べる本発明の他の構成の血圧計においても同様である。
【００１１】
本発明の血圧計は、生体の一部を圧迫するカフと、前記カフに空気を供給する空気ポンプと、前記カフの内部の空気の圧力を検出する圧力センサと、前記カフの内部の空気を排気する排気バルブと、空気を収容する２つのチャンバーと、を備え、前記カフ、前記空気ポンプ、前記圧力センサ及び前記排気バルブのそれぞれが空気流通経路で相互に接続され、前記カフ、前記空気ポンプ、前記圧力センサ又は前記排気バルブのいずれかのみに接続される空気流通経路のうち２箇所に前記チャンバーが配置されたチャンバー付き血圧計である。
【００１２】
上記のように、本発明の血圧計は、２箇所に前記チャンバーが配置されることにより、血圧計全体の空気容量が拡張し、前述の本発明の血圧計と同様に、前記チャンバーは前記カフ、前記空気ポンプ又は前記排気バルブで発生し前記圧力センサに妨害を与える雑音を減衰させ、血圧を測定することができる。
【００１３】
本発明の血圧計は、生体の一部を圧迫するカフと、前記カフに空気を供給する空気ポンプと、前記カフの内部の空気の圧力を検出する圧力センサと、前記カフの内部の空気を排気する排気バルブと、空気を収容する３つのチャンバーと、を備え、前記カフ、前記空気ポンプ、前記圧力センサ及び前記排気バルブのそれぞれが空気流通経路で相互に接続され、前記カフ、前記空気ポンプ、前記圧力センサ又は前記排気バルブのいずれかのみに接続される空気流通経路のうち３箇所に前記チャンバーが配置されたチャンバー付き血圧計である。
【００１４】
上記のように、本発明の血圧計は、３箇所に前記チャンバーが配置されることにより、血圧計全体の空気容量が拡張し、前述の本発明の血圧計と同様に、前記チャンバーは前記カフ、前記空気ポンプ又は前記排気バルブで発生し前記圧力センサに妨害を与える雑音を減衰させ、血圧を正確に測定することができる。
【００１５】
本発明の血圧計は、生体の一部を圧迫するカフと、前記カフに空気を供給する空気ポンプと、前記カフの内部の空気の圧力を検出する圧力センサと、前記カフの内部の空気を排気する排気バルブと、空気を収容する４つのチャンバーと、を備え、前記カフ、前記空気ポンプ、前記圧力センサ及び前記排気バルブのそれぞれが空気流通経路で相互に接続され、前記カフ、前記空気ポンプ、前記圧力センサ又は前記排気バルブのいずれかのみに接続される空気流通経路のそれぞれに前記チャンバーが配置されたチャンバー付き血圧計である。
【００１６】
上記のように、本発明の血圧計は、４箇所に前記チャンバーが配置されることにより、血圧計全体の空気容量が拡張し、前述の本発明の血圧計と同様に、前記チャンバーは前記カフ、前記空気ポンプ又は前記排気バルブで発生し前記圧力センサに妨害を与える雑音を減衰させ、血圧を正確に測定することができる。
【００１７】
本発明の血圧計は、生体の一部を圧迫するカフと、前記カフに空気を供給する空気ポンプと、前記カフの内部の空気の圧力を検出する圧力センサと、前記カフの内部の空気を排気する排気バルブと、空気を収容する１つのチャンバーと、を備え、前記カフ、前記空気ポンプ、前記圧力センサ及び前記排気バルブのそれぞれが前記チャンバーを介して空気流通経路で相互に接続されたチャンバー付き血圧計である。
【００１８】
上記のように、本発明の血圧計は、前記カフ、前記空気ポンプ、前記圧力センサ及び前記排気バルブのそれぞれが前記チャンバーを介して空気流通経路で相互に接続されることにより、簡易な構成で、血圧計全体の空気容量が拡張し、前述の本発明の血圧計と同様に、前記カフ、前記空気ポンプ又は前記排気バルブで発生し前記圧力センサに妨害を与える雑音を減衰させ、血圧を正確に測定することができる。
【００１９】
本発明の血圧計は、生体の一部を圧迫するカフと、前記カフに空気を供給する空気ポンプと、前記カフの内部の空気の圧力を検出する圧力センサと、前記カフの内部の空気を排気する排気バルブと、空気を収容する１つのチャンバーと、を備え、前記カフ、前記空気ポンプ及び前記排気バルブのそれぞれが空気流通経路で相互に接続され、前記圧力センサが前記カフに空気流通経路で接続され、前記カフ、前記空気ポンプ、前記圧力センサ又は前記排気バルブのいずれかのみに接続される空気流通経路のいずれかに前記チャンバーが配置されたチャンバー付き血圧計である。
【００２０】
上記のように、本発明の血圧計は、前記チャンバーが配置されることにより、血圧計全体の空気容量が拡張し、前記カフのみに接続される空気流通経路に配置される前記チャンバーは前記空気ポンプ又は前記排気バルブで発生し前記圧力センサに妨害を与える雑音を減衰させ、前記圧力センサのみに接続される空気流通経路に配置される前記チャンバーは前記カフ、前記空気ポンプ又は前記排気バルブで発生し前記圧力センサに妨害を与える雑音を減衰させ、前記空気ポンプのみに接続される空気流通経路に配置される前記チャンバーは前記空気ポンプで発生し前記圧力センサに妨害を与える雑音を減衰させ、前記排気バルブのみに接続される空気流通経路に配置される前記チャンバーは前記排気バルブで発生し前記圧力センサに妨害を与える雑音を減衰させ、血圧を正確に測定することができる。
【００２１】
本発明の血圧計は、生体の一部を圧迫するカフと、前記カフに空気を供給する空気ポンプと、前記カフの内部の空気の圧力を検出する圧力センサと、前記カフの内部の空気を排気する排気バルブと、空気を収容する２つのチャンバーと、を備え、前記カフ、前記空気ポンプ及び前記排気バルブのそれぞれが空気流通経路で相互に接続され、前記圧力センサが前記カフに空気流通経路で接続され、前記カフ、前記空気ポンプ、前記圧力センサ又は前記排気バルブのいずれかのみに接続される空気流通経路のうち２箇所に前記チャンバーが配置されたチャンバー付き血圧計である。
【００２２】
上記のように、本発明の血圧計は、２箇所に前記チャンバーが配置されることにより、血圧計全体の空気容量が拡張し、前記カフのみに接続される空気流通経路に配置される前記チャンバーは前記空気ポンプ又は前記排気バルブで発生し前記圧力センサに妨害を与える雑音を減衰させ、前記圧力センサのみに接続される空気流通経路に配置される前記チャンバーは前記カフ、前記空気ポンプ又は前記排気バルブで発生し前記圧力センサに妨害を与える雑音を減衰させ、前記空気ポンプのみに接続される空気流通経路に配置される前記チャンバーは前記空気ポンプで発生し前記圧力センサに妨害を与える雑音を減衰させ、前記排気バルブのみに接続される空気流通経路に配置される前記チャンバーは前記排気バルブで発生し前記圧力センサに妨害を与える雑音を減衰させ、血圧を正確に測定することができる。
【００２３】
本発明の血圧計は、生体の一部を圧迫するカフと、前記カフに空気を供給する空気ポンプと、前記カフの内部の空気の圧力を検出する圧力センサと、前記カフの内部の空気を排気する排気バルブと、空気を収容する１つのチャンバーと、を備え、前記カフ、前記空気ポンプ及び前記圧力センサのそれぞれが空気流通経路で相互に接続され、前記排気バルブが前記カフに空気流通経路で接続され、前記カフ、前記空気ポンプ、前記圧力センサ又は前記排気バルブのいずれかのみに接続される空気流通経路のうちいずれかに前記チャンバーが配置されたチャンバー付き血圧計である。
【００２４】
上記のように、本発明の血圧計は、前記チャンバーが配置されることにより、血圧計全体の空気容量が拡張し、前記カフのみに接続される空気流通経路に配置される前記チャンバーは前記カフ又は前記排気バルブで発生する雑音を減衰させ、前記空気ポンプのみに接続される空気流通経路に配置される前記チャンバーは前記空気ポンプで発生し前記圧力センサに妨害を与える雑音を減衰させ、前記圧力センサのみに接続される空気流通経路に配置される前記チャンバーは前記カフ、前記排気バルブ又は前記空気ポンプで発生し前記圧力センサに妨害を与える雑音を減衰させ、前記排気バルブのみに接続される空気流通経路に配置される前記チャンバーは前記排気バルブで発生し前記圧力センサに妨害を与える雑音を減衰させ、血圧を正確に測定することができる。
【００２５】
本発明の血圧計は、生体の一部を圧迫するカフと、前記カフに空気を供給する空気ポンプと、前記カフの内部の空気の圧力を検出する圧力センサと、前記カフの内部の空気を排気する排気バルブと、空気を収容する２つのチャンバーと、を備え、前記カフ、前記空気ポンプ及び前記圧力センサのそれぞれが空気流通経路で相互に接続され、前記排気バルブが前記カフに空気流通経路で接続され、前記カフ、前記空気ポンプ、前記圧力センサ又は前記排気バルブのいずれかのみに接続される空気流通経路のうち２箇所に前記チャンバーが配置されたチャンバー付き血圧計である。
【００２６】
上記のように、本発明の血圧計は、２箇所に前記チャンバーが配置されることにより、血圧計全体の空気容量が拡張し、前記カフのみに接続される空気流通経路に配置される前記チャンバーは前記カフ又は前記排気バルブで発生し前記圧力センサに妨害を与える雑音を減衰させ、前記空気ポンプのみに接続される空気流通経路に配置される前記チャンバーは前記空気ポンプで発生し前記圧力センサに妨害を与える雑音を減衰させ、前記圧力センサのみに接続される空気流通経路に配置される前記チャンバーは前記カフ、前記排気バルブ又は前記空気ポンプで発生し前記圧力センサに妨害を与える雑音を減衰させ、前記排気バルブのみに接続される空気流通経路に配置される前記チャンバーは前記排気バルブで発生し前記圧力センサに妨害を与える雑音を減衰させ、血圧を正確に測定することができる。
【００２７】
本発明の血圧計は、生体の一部を圧迫するカフと、前記カフに空気を供給する空気ポンプと、前記カフの内部の空気の圧力を検出する圧力センサと、前記カフの内部の空気を排気する排気バルブと、空気を収容する１つのチャンバーと、を備え、前記カフ、前記圧力センサ及び前記排気バルブのそれぞれが空気流通経路で相互に接続され、前記空気ポンプが前記カフに空気流通経路で接続され、前記カフ、前記空気ポンプ、前記圧力センサ又は前記排気バルブのいずれかのみに接続される空気流通経路のうちいずれかに前記チャンバーが配置されたチャンバー付き血圧計である。
【００２８】
上記のように、本発明の血圧計は、前記チャンバーが配置されることにより、血圧計全体の空気容量が拡張し、前記カフのみに接続される空気流通経路に配置される前記チャンバーは前記カフ又は前記空気ポンプで発生し前記圧力センサに妨害を与える雑音を減衰させ、前記空気ポンプのみに接続される空気流通経路に配置される前記チャンバーは前記空気ポンプで発生し前記圧力センサに妨害を与える雑音を減衰させ、前記排気バルブのみに接続される空気流通経路に配置される前記チャンバーは前記排気バルブで発生し前記圧力センサに妨害を与える雑音を減衰させ、前記圧力センサのみに接続される空気流通経路に配置される前記チャンバーは前記カフ、前記排気バルブ又は前記空気ポンプで発生し前記圧力センサに妨害を与える雑音を減衰させ、血圧を正確に測定することができる。
【００２９】
本発明の血圧計は、生体の一部を圧迫するカフと、前記カフに空気を供給する空気ポンプと、前記カフの内部の空気の圧力を検出する圧力センサと、前記カフの内部の空気を排気する排気バルブと、空気を収容する２つのチャンバーと、を備え、前記カフ、前記圧力センサ及び前記排気バルブのそれぞれが空気流通経路で相互に接続され、前記空気ポンプが前記カフに空気流通経路で接続され、前記カフ、前記空気ポンプ、前記圧力センサ又は前記排気バルブのいずれかのみに接続される空気流通経路のうち２箇所に前記チャンバーが配置されたチャンバー付き血圧計である。
【００３０】
上記のように、本発明の血圧計は、２箇所に前記チャンバーが配置されることにより、血圧計全体の空気容量が拡張し、前記カフのみに接続される空気流通経路に配置される前記チャンバーは前記カフ又は前記空気ポンプで発生し前記圧力センサに妨害を与える雑音を減衰させ、前記空気ポンプのみに接続される空気流通経路に配置される前記チャンバーは前記空気ポンプで発生し前記圧力センサに妨害を与える雑音を減衰させ、前記排気バルブのみに接続される空気流通経路に配置される前記チャンバーは前記排気バルブで発生し前記圧力センサに妨害を与える雑音を減衰させ、前記圧力センサのみに接続される空気流通経路に配置される前記チャンバーは前記カフ、前記排気バルブ又は前記空気ポンプで発生し前記圧力センサに妨害を与える雑音を減衰させ、血圧を正確に測定することができる。
【００３１】
本発明の血圧計は、前記チャンバーは空気容量を拡張するための取り外し可能な増設チャンバーをさらに備えるチャンバー付き血圧計としてもよい。
【００３２】
上記のように、本発明の血圧計は、前述の本発明の血圧計の前記チャンバーに、空気容量を拡張するための取り外し可能な増設チャンバーをさらに備えることにより、前記チャンバーの空気容量を拡張して、前述の本発明の血圧計と同様に、血圧を正確に測定することができる。
【００３３】
本発明の血圧計は、前記チャンバーと前記増設チャンバーとの間に空気の流通を遮断する弁を備えるチャンバー付き血圧計としてもよい。
【００３４】
上記のように、本発明の血圧計は、前記チャンバーと前記増設チャンバーとの間に空気の流通を遮断、又は空気を流通させる弁を備えることにより、空気容量が不足の場合、前記弁により前記チャンバーと前記増設チャンバーを接続して前記チャンバーの空気容量を拡張し、空気容量が過剰な場合、前記弁を閉鎖して前記チャンバーの空気容量を拡張することなく、血圧を測定することにより、前記チャンバーの空気容量を調整して、血圧を簡便に、正確に測定することができる。
【００３５】
本発明の血圧計は、前記チャンバー又は前記増設チャンバーは、空気の圧力に応じて膨張するチャンバー付き血圧計としてもよい。
【００３６】
上記のように、本発明の血圧計は、前記チャンバー又は前記増設チャンバーを、空気の圧力に応じて膨張する構成とすることにより、空気容量を調整し、血圧を簡易に、正確に測定することができる。
【００３７】
本発明の血圧計は、前記チャンバーの空気容量は前記カフの空気容量と同等以上、１０倍以下であるチャンバー付き血圧計としてもよい。
【００３８】
上記のように、本発明の血圧計は、前記チャンバーの空気容量を前記カフの空気容量と同等以上とすることにより前記カフで発生する雑音の減衰効果が得られ、一方、前記チャンバーの空気容量は前記カフの空気容量の１０倍程度以上としても、前記カフで発生する低周波雑音の減衰効果は大きくならないので、前記チャンバーの空気容量は前記カフの空気容量の１０倍程度で十分である。従って、前記チャンバーの空気容量は前記カフの空気容量と同等以上、かつ１０倍以下とすることにより、前記チャンバーの大きさを過大にすることなく、雑音を減衰させて、血圧を効率よく、正確に測定にすることができる。
【００３９】
本発明の血圧計は、前記カフの空気容量は１ｃｃ以上、１０ｃｃ以下であるチャンバー付き血圧計としてもよい。
【００４０】
上記のように、本発明の血圧計は、生体の抹消部において血圧を測定する場合、生体の抹消部の大きさから判断して、前記カフの空気容量は少なくとも１ｃｃは必要であり、かつ１０ｃｃで十分である。従って、本発明の血圧計は、前記カフの空気容量は１ｃｃ以上、１０ｃｃ以下とすることにより、雑音を効果的に減衰させ、血圧を経済的に、正確に測定することができる。
【発明の効果】
【００４１】
本発明によれば、空気ポンプ、カフ又は排気バルブで発生する雑音を減衰させ、圧力センサへ及ぼす影響を軽減して、正確に測定することの可能な血圧計を提供することができる。
【発明を実施するための最良の形態】
【００４２】
添付の図面を参照して本発明の実施の形態を説明する。
以下に説明する実施の形態は本発明の構成の例であり、本発明は、以下の実施の形態に制限されるものではない。
【００４３】
本実施の形態の血圧計は、生体の一部を圧迫するカフと、前記カフに空気を供給する空気ポンプと、前記カフの内部の空気の圧力を検出する圧力センサと、前記カフの内部の空気を排気する排気バルブと、空気を収容する１つのチャンバーと、を備え、前記カフ、前記空気ポンプ、前記圧力センサ及び前記排気バルブのそれぞれが空気流通経路で相互に接続され、前記カフ、前記圧力センサ又は前記排気バルブのいずれかのみに接続される空気流通経路のいずれかに前記チャンバーが配置されたチャンバー付き血圧計である。
【００４４】
図１（Ａ）、図１（Ｂ）、図１（Ｃ）に本実施の形態の血圧計の構成例を示す。図１（Ａ）、図１（Ｂ）、図１（Ｃ）において、本実施の形態の血圧計１０は、カフ１、圧力センサ２、空気ポンプ３、排気バルブ４、空気パイプ１１、空気パイプ１２、空気パイプ１３、空気パイプ１４、空気パイプ１５、及びチャンバー２１、チャンバー２２又はチャンバー２４により構成される。
【００４５】
図１（Ａ）、図１（Ｂ）、図１（Ｃ）において、本実施の形態の血圧計１０は、カフ１に空気パイプ１１の一端が接続され、圧力センサ２に空気パイプ１２の一端が接続され、空気ポンプ３に空気パイプ１３の一端が接続され、排気バルブ４に空気パイプ１４の一端が接続され、空気パイプ１１の他の一端と、空気パイプ１３の他の一端及び空気パイプ１５の一端が相互に接続され、空気パイプ１２の他の一端と、空気パイプ１４の他の一端及び空気パイプ１５の他の一端が相互に接続された構成に、図１（Ａ）においては、チャンバー２１が空気パイプ１１の中間に設けられ、図１（Ｂ）においては、チャンバー２２が空気パイプ１２の中間に設けられ、図１（Ｃ）においては、チャンバー２４が空気パイプ１４の中間に設けられている構成である。
【００４６】
次に、本実施の形態の血圧計１０を構成する各部の機能を説明する。カフ１は空気ポンプ３が空気パイプ１３を介して、さらに空気パイプ１１、又は空気パイプ１１及びチャンバー２１を介して、供給する空気により上昇する圧力、あるいは排気バルブ４が空気パイプ１４、空気パイプ１５を介して、さらに空気パイプ１１、又は空気パイプ１１及びチャンバー２１を介して、排気する空気により下降する圧力で、生体の一部を圧迫する機能を有する。
【００４７】
圧力センサ２は空気パイプ１２、空気パイプ１５を介して、さらに空気パイプ１１、又は空気パイプ１１及びチャンバー２１を介して、カフ１の内部の空気の圧力、すなわちカフ１が生体の一部を圧迫する圧力を検出する機能を有する。
【００４８】
空気ポンプ３は空気パイプ１３を介して、さらに空気パイプ１１、又は空気パイプ１１及びチャンバー２１を介して、カフ１に空気を供給する機能を有する。
【００４９】
排気バルブ４は空気パイプ１４、空気パイプ１５を介して、さらに空気パイプ１１、又は空気パイプ１１及びチャンバー２１を介して、カフ１の内部の空気を排気する機能を有する。
【００５０】
空気パイプ１１、空気パイプ１２、空気パイプ１３、空気パイプ１４及び空気パイプ１５は空気を流通させる機能を有する。
【００５１】
チャンバー２１、チャンバー２２及びチャンバー２４は、各々空気パイプ１１、空気パイプ１２又は空気パイプ１４の中間に設けられ、各々の内部の空間に空気を収容し、血圧計１０の空気容量を拡張し、さらに内部の空気を伝搬する音波を減衰させる機能を有し、特にチャンバー２１はカフ１で発生し圧力センサ２に妨害を与える雑音を減衰させ、チャンバー２２はカフ１、空気ポンプ３又は排気バルブ４で発生し圧力センサ２に妨害を与える雑音を減衰させ、チャンバー２４は排気バルブ４で発生し圧力センサ２に妨害を与える雑音を減衰させる機能を有する。
【００５２】
図１（Ａ）、図１（Ｂ）、図１（Ｃ）及び以下に示す図においては、血圧計１０のカフ１が圧迫する前記生体の一部の脈波を検出する脈波検出部、圧力センサ２が検出するカフ１が前記生体の一部を圧迫する圧力の値と、前記脈波検出部が検出する脈波から血圧値を算出する算出部、血圧値を表示する表示部、各部を接続する信号線、電源と電力線、血圧測定の開始、終了を制御するスイッチなどの通常の技術により実現可能な部分は表示していない。
【００５３】
本実施の形態の血圧計１０は、圧力センサ２が検出するカフ１が前記生体の一部を圧迫する圧力と、図示していない脈波検出部が検出するカフ１が圧迫している前記生体の一部の脈波により、図示していない前記算出部が血圧を算出し、図示していない表示部に表示する。上記の血圧を算出する方法は例えば非特許文献１に記述されている。
【００５４】
本実施の形態の血圧計１０のチャンバー２１、チャンバー２２又はチャンバー２４は血圧計１０の全体の空気容量を拡張し、排気バルブ４により排気する時のカフ１の圧力の減圧速度の変動を小さくして一定速度で減圧するように改善し、また空気ポンプ３、圧力センサ２又は排気バルブ４の微小なリークの影響を相対的に小さくし、さらに、図１（Ａ）に示す血圧計１０のチャンバー２１はカフ１で発生し圧力センサ２に妨害を与える雑音を減衰させ、図１（Ｂ）に示す血圧計１０のチャンバー２２はカフ１、空気ポンプ３又は排気バルブ４で発生し圧力センサ２に妨害を与える雑音を減衰させ、図１（Ｃ）に示す血圧計１０のチャンバー２４は排気バルブ４で発生し圧力センサ２に妨害を与える雑音を減衰させ、本実施の形態の血圧計１０は血圧を正確に測定することができる。
【００５５】
上記のように、本実施の形態の血圧計１０は、チャンバー２１、チャンバー２２又はチャンバー２４により、血圧計１０の全体の空気容量を拡張し、カフ１、空気ポンプ３又は排気バルブ４で発生し圧力センサ２に妨害を与える雑音を減衰させることにより、血圧を正確に測定することができる。
【００５６】
本実施の形態の血圧計は、生体の一部を圧迫するカフと、前記カフに空気を供給する空気ポンプと、前記カフの内部の空気の圧力を検出する圧力センサと、前記カフの内部の空気を排気する排気バルブと、空気を収容する２つのチャンバーと、を備え、前記カフ、前記空気ポンプ、前記圧力センサ及び前記排気バルブのそれぞれが空気流通経路で相互に接続され、前記カフ、前記空気ポンプ、前記圧力センサ又は前記排気バルブのいずれかのみに接続される空気流通経路のうち２箇所に前記チャンバーが配置されたチャンバー付き血圧計である。
【００５７】
図２（Ａ）、図２（Ｂ）、図２（Ｃ）、図２（Ｄ）、図２（Ｅ）、図２（Ｆ）に本実施の形態の血圧計の構成例を示す。
【００５８】
図２（Ａ）において、本実施の形態の血圧計１０は、図１（Ａ）に示す実施の形態の血圧計１０の空気パイプ１３の中間にチャンバー２３を、さらに設けた構成であり、図２（Ｂ）において、本実施の形態の血圧計１０は、図１（Ａ）に示す実施の形態の血圧計１０の空気パイプ１４の中間にチャンバー２４を、さらに設けた構成であり、図２（Ｃ）において、本実施の形態の血圧計１０は、図１（Ａ）に示す実施の形態の血圧計１０の空気パイプ１２の中間にチャンバー２２を、さらに設けた構成であり、図２（Ｄ）において、本実施の形態の血圧計１０は、図１（Ｃ）に示す実施の形態の血圧計１０の空気パイプ１３の中間にチャンバー２３を、さらに設けた構成であり、図２（Ｅ）において、本実施の形態の血圧計１０は、図１（Ｂ）に示す実施の形態の血圧計１０の空気パイプ１３の中間にチャンバー２３を、さらに設けた構成であり、図２（Ｆ）において、本実施の形態の血圧計１０は、図１（Ｂ）に示す実施の形態の血圧計１０の空気パイプ１４の中間にチャンバー２４を、さらに設けた構成である。
【００５９】
次に、本実施の形態の血圧計１０を構成する各部の機能を説明する。カフ１は空気ポンプ３が供給する空気により上昇する圧力又は排気バルブ４が排気する空気により下降する圧力で、生体の一部を圧迫する機能を有する。
【００６０】
空気ポンプ３は空気パイプ１３、チャンバー２３、空気パイプ１１及びチャンバー２１を介して、空気パイプ１３、空気パイプ１１及びチャンバー２１を介して、空気パイプ１３、チャンバー２３及び空気パイプ１１を介して、又は空気パイプ１３及び空気パイプ１１を介してカフに空気を供給する。
【００６１】
排気バルブ４は空気パイプ１４、空気パイプ１５、空気パイプ１１及びチャンバー２１を介して、空気パイプ１４、チャンバー２４、空気パイプ１５、空気パイプ１１及びチャンバー２１を介して、空気パイプ１４、チャンバー２４、空気パイプ１５及び空気パイプ１１を介して、又は空気パイプ１４、空気パイプ１５及び空気パイプ１１を介して、カフ１の内部の空気を排気する。
【００６２】
圧力センサ２は空気パイプ１２、空気パイプ１５、空気パイプ１１及びチャンバー２１を介して、空気パイプ１２、チャンバー２２、空気パイプ１５、空気パイプ１１及びチャンバー２１を介して、空気パイプ１２、空気パイプ１５及び空気パイプ１１を介して、又は空気パイプ１２、チャンバー２２、空気パイプ１５及び空気パイプ１１を介して、カフ１の内部の空気の圧力、すなわちカフ１が生体の一部を圧迫する圧力を検出する。
【００６３】
空気パイプ１１、空気パイプ１２、空気パイプ１３、空気パイプ１４、空気パイプ１５、チャンバー２１、チャンバー２２及びチャンバー２４の機能は図１（Ａ）、図１（Ｂ）、図１（Ｃ）により説明した実施の形態の血圧計１０と同様である。
【００６４】
チャンバー２３は内部の空間に空気を収容し、血圧計１０の全体の空気容量を拡張し、さらに空気ポンプ３で発生し圧力センサ２に妨害を与える雑音を減衰させる機能を有する。
【００６５】
本実施の形態の血圧計１０は、チャンバー２１、チャンバー２２、チャンバー２３又はチャンバー２４の内の２個のチャンバーにより、血圧計１０の全体の空気容量を拡張し、カフ１、空気ポンプ３又は排気バルブ４で発生し圧力センサ２に妨害を与える雑音を減衰させることにより、血圧を正確に測定することができる。
【００６６】
本実施の形態の血圧計は、生体の一部を圧迫するカフと、前記カフに空気を供給する空気ポンプと、前記カフの内部の空気の圧力を検出する圧力センサと、前記カフの内部の空気を排気する排気バルブと、空気を収容する３つのチャンバーと、を備え、前記カフ、前記空気ポンプ、前記圧力センサ及び前記排気バルブのそれぞれが空気流通経路で相互に接続され、前記カフ、前記空気ポンプ、前記圧力センサ又は前記排気バルブのいずれかのみに接続される空気流通経路のうち３箇所に前記チャンバーが配置されたチャンバー付き血圧計である。
【００６７】
図３（Ａ）、図３（Ｂ）、図３（Ｃ）、図３（Ｄ）に、本実施の形態の血圧計の構成を示す。図３（Ａ）において、本実施の形態の血圧計１０は図２（Ａ）に示す実施の形態の血圧計１０の空気パイプ１２の中間にチャンバー２２を、さらに設けた構成であり、図３（Ｂ）において、本実施の形態の血圧計１０は、図２（Ｂ）に示す実施の形態の血圧計１０の空気パイプ１２の中間にチャンバー２２を、さらに設けた構成であり、図３（Ｃ）において、本実施の形態の血圧計１０は、図２（Ｄ）に示す実施の形態の血圧計１０の空気パイプ１１の中間にチャンバー２１を、さらに設けた構成であり、図３（Ｄ）において、本実施の形態の血圧計１０は、図２（Ｅ）に示す実施の形態の血圧計１０の空気パイプ１４の中間にチャンバー２４を、さらに設けた構成である。
【００６８】
次に、本実施の形態の血圧計１０を構成する各部の機能を説明する。図３（Ａ）、図３（Ｂ）、図３（Ｃ）、図３（Ｄ）において、本実施の形態の血圧計１０の各部の機能は、図２（Ａ）、図２（Ｂ）、図２（Ｃ）、図２（Ｄ）、図２（Ｅ）、図２（Ｆ）により説明した実施の形態の血圧計１０を構成する各部の機能と同様である。
【００６９】
本実施の形態の血圧計１０は、チャンバー２１、チャンバー２２、チャンバー２３又はチャンバー２４の内の３個のチャンバーにより、血圧計１０の全体の空気容量を拡張し、カフ１、空気ポンプ３又は排気バルブ４で発生し圧力センサ２に妨害を与える雑音を減衰させることにより、血圧を正確に測定することができる。
【００７０】
本実施の形態の血圧計は、生体の一部を圧迫するカフと、前記カフに空気を供給する空気ポンプと、前記カフの内部の空気の圧力を検出する圧力センサと、前記カフの内部の空気を排気する排気バルブと、空気を収容する４つのチャンバーと、を備え、前記カフ、前記空気ポンプ、前記圧力センサ及び前記排気バルブのそれぞれが空気流通経路で相互に接続され、前記カフ、前記空気ポンプ、前記圧力センサ又は前記排気バルブのいずれかのみに接続される空気流通経路のそれぞれに前記チャンバーが配置されたチャンバー付き血圧計である。
【００７１】
図４に本実施の形態の血圧計の構成を示す。図４において、本実施の形態の血圧計１０は、図３（Ａ）に示す実施の形態の血圧計１０の空気パイプ１４の中間にチャンバー２４を設けた構成である。
【００７２】
次に、本実施の形態の血圧計１０を構成する各部の機能を説明する。図４において、本実施の形態の血圧計１０の各部の機能は、図３（Ａ）、図３（Ｂ）、図３（Ｃ）、図３（Ｄ）により説明した実施の形態の血圧計１０を構成する各部の機能と同様である。
【００７３】
本実施の形態の血圧計１０は、チャンバー２１、チャンバー２２、チャンバー２３又はチャンバー２４により、血圧計１０の全体の空気容量を拡張し、カフ１、空気ポンプ３又は排気バルブ４で発生し圧力センサ２に妨害を与える雑音を減衰させることにより、血圧を正確に測定することができる。
【００７４】
本実施の形態の血圧計は、生体の一部を圧迫するカフと、前記カフに空気を供給する空気ポンプと、前記カフの内部の空気の圧力を検出する圧力センサと、前記カフの内部の空気を排気する排気バルブと、空気を収容する１つのチャンバーと、を備え、前記カフ、前記空気ポンプ、前記圧力センサ及び前記排気バルブのそれぞれが前記チャンバーを介して空気流通経路で相互に接続されたチャンバー付き血圧計である。
【００７５】
図５に本実施の形態の血圧計の構成を示す。図５において、本実施の形態の血圧計１０は、カフ１、圧力センサ２、空気ポンプ３、排気バルブ４、空気パイプ１１、空気パイプ１２、空気パイプ１３、空気パイプ１４及びチャンバー２５により構成されている。
【００７６】
図５において、本実施の形態の血圧計１０は、カフ１に空気パイプ１１の一端が接続され、圧力センサ２に空気パイプ１２の一端が接続され、空気ポンプ３に空気パイプ１３の一端が接続され、排気バルブ４に空気パイプ１４の一端が接続され、空気パイプ１１の他の一端と、空気パイプ１２の他の一端と、空気パイプ１３の他の一端と、空気パイプ１４の他の一端はチャンバー２５に接続された構成である。
【００７７】
次に、本実施の形態の血圧計１０を構成する各部の機能を説明する。カフ１は空気ポンプ３が空気パイプ１３、チャンバー２５及び空気パイプ１１を介して、供給する空気により上昇する圧力、あるいは排気バルブ４が空気パイプ１４、チャンバー２５及び空気パイプ１１を介して、排気する空気により下降する圧力で、生体の一部を圧迫する機能を有する。
【００７８】
圧力センサ２は空気パイプ１２、チャンバー２５及び空気パイプ１１を介して、カフ１の内部の空気の圧力、すなわちカフ１が生体の一部を圧迫する圧力を検出する機能を有する。
【００７９】
空気ポンプ３は空気パイプ１３、チャンバー２５及び空気パイプ１１を介して、カフ１に空気を供給する機能を有する。
【００８０】
排気バルブ４は空気パイプ１４、チャンバー２５、空気パイプ１１を介して、カフ１の内部の空気を排気する機能を有する。
【００８１】
チャンバー２５は内部の空間に空気を収容し、血圧計１０の全体の空気容量を拡張し、さらに内部の空気を伝搬する音波を減衰させ、カフ１、空気ポンプ３又は排気バルブ４で発生し圧力センサ２に妨害を与える雑音を減衰させる機能を有する。
【００８２】
空気パイプ１１、空気パイプ１２、空気パイプ１３及び空気パイプ１４は空気を流通させる機能を有する。
【００８３】
本実施の形態の血圧計１０のチャンバー２５は、血圧計１０の全体の空気容量を拡張し、排気バルブ４により排気する時のカフ１の圧力の減圧速度の変動を小さくして一定速度で減圧するように改善し、また空気ポンプ３、圧力センサ２又は排気バルブ４の微小なリークの影響を相対的に小さくし、さらに、チャンバー２５はカフ１、空気ポンプ３又は排気バルブ４で発生する雑音を減衰させることにより、本実施の形態の血圧計１０は、簡易な構成で、血圧を簡易に、正確に測定することができる。
【００８４】
本実施の形態の血圧計は、生体の一部を圧迫するカフと、前記カフに空気を供給する空気ポンプと、前記カフの内部の空気の圧力を検出する圧力センサと、前記カフの内部の空気を排気する排気バルブと、空気を収容する１つのチャンバーと、を備え、前記カフ、前記空気ポンプ及び前記排気バルブのそれぞれが空気流通経路で相互に接続され、前記圧力センサが前記カフに空気流通経路で接続され、前記カフ、前記空気ポンプ、前記圧力センサ又は前記排気バルブのいずれかのみに接続される空気流通経路のいずれかに前記チャンバーが配置されたチャンバー付き血圧計である。
【００８５】
図６（Ａ）、図６（Ｂ）、図６（Ｃ）、図６（Ｄ）に本実施の形態の血圧計の構成を示す。図６（Ａ）、図６（Ｂ）、図６（Ｃ）、図６（Ｄ）において、本実施の形態の血圧計１０は、カフ１、圧力センサ２、空気ポンプ３、排気バルブ４、空気パイプ１１、空気パイプ１３、空気パイプ１４、空気パイプ１５、空気パイプ１６、及びチャンバー２１、チャンバー２２、チャンバー２３又はチャンバー２４により構成される。
【００８６】
図６（Ａ）、図６（Ｂ）、図６（Ｃ）、図６（Ｄ）において、本実施の形態の血圧計１０は、カフ１と圧力センサ２は空気パイプ１６により接続され、カフ１に空気パイプ１１の一端が接続され、空気ポンプ３に空気パイプ１３の一端が接続され、排気バルブ４に空気パイプ１４の一端が接続され、空気パイプ１１の他の一端と、空気パイプ１３の他の一端及び空気パイプ１５の一端が相互に接続され、空気パイプ１４の他の一端と空気パイプ１５の他の一端が接続された構成に、図６（Ａ）においては、チャンバー２１が空気パイプ１１の中間に設けられ、図６（Ｂ）においては、チャンバー２３が空気パイプ１３の中間に設けられ、図６（Ｃ）においては、チャンバー２４が空気パイプ１４の中間に設けられ、図６（Ｄ）においては、チャンバー２２が空気パイプ１６の中間に接続されている構成である。
【００８７】
次に、本実施の形態の血圧計１０を構成する各部の機能を説明する。本実施の形態の血圧計１０の圧力センサ２、空気パイプ１６、チャンバー２１及びチャンバー２３以外の部分の機能は、図１（Ａ）、図１（Ｂ）、図１（Ｃ）により説明した実施の形態の血圧計１０と同様である。
【００８８】
圧力センサ２は空気パイプ１６、又は空気パイプ１６及びチャンバー２２を介して、カフ１の内部の空気の圧力、すなわちカフ１が生体の一部を圧迫する圧力を検出する機能を有する。
【００８９】
空気パイプ１６は、カフ１と圧力センサ２の間、又はカフ１とチャンバー２２の間及びチャンバー２２と圧力センサ２の間、の空気を流通させる機能を有する。
【００９０】
チャンバー２１及びチャンバー２３は内部の空間に空気を収容し、血圧計１０の全体の空気容量を拡張し、さらに内部の空気を伝搬する音波を減衰させる機能を有し、特にチャンバー２１は空気ポンプ３又は排気バルブ４で発生し圧力センサ２に妨害を与える雑音を減衰させ、チャンバー２３は空気ポンプ３で発生し圧力センサ２に妨害を与える雑音を減衰させる機能を有する。
【００９１】
本実施の形態の血圧計１０は、チャンバー２１、チャンバー２２、チャンバー２３又はチャンバー２４により、血圧計１０の全体の空気容量を拡張し、雑音を減衰させることにより、血圧を正確に測定することができる。
【００９２】
本実施の形態の血圧計は、生体の一部を圧迫するカフと、前記カフに空気を供給する空気ポンプと、前記カフの内部の空気の圧力を検出する圧力センサと、前記カフの内部の空気を排気する排気バルブと、空気を収容する２つのチャンバーと、を備え、前記カフ、前記空気ポンプ及び前記排気バルブのそれぞれが空気流通経路で相互に接続され、前記圧力センサが前記カフに空気流通経路で接続され、前記カフ、前記空気ポンプ、前記圧力センサ又は前記排気バルブのいずれかのみに接続される空気流通経路のうち２箇所に前記チャンバーが配置されたチャンバー付き血圧計である。
【００９３】
図７（Ａ）、図７（Ｂ）、図７（Ｃ）、図７（Ｄ）、図７（Ｅ）、図７（Ｆ）に、本実施の形態の血圧計の構成を示す。
【００９４】
図７（Ａ）において、本実施の形態の血圧計１０は、図６（Ａ）に示す実施の形態の血圧計１０の空気パイプ１３の中間にチャンバー２３を設けた構成であり、図７（Ｂ）において、本実施の形態の血圧計１０は、図６（Ａ）に示す実施の形態の血圧計１０の空気パイプ１４の中間にチャンバー２４を設けた構成であり、図７（Ｃ）において、本実施の形態の血圧計１０は、図６（Ａ）に示す実施の形態の血圧計１０の空気パイプ１６の中間にチャンバー２２を設けた構成であり、図７（Ｄ）において、本実施の形態の血圧計１０は、図６（Ｂ）に示す実施の形態の血圧計１０の空気パイプ１４の中間にチャンバー２４を設けた構成であり、図７（Ｅ）において、本実施の形態の血圧計１０は、図６（Ｂ）に示す実施の形態の血圧計１０の空気パイプ１６の中間にチャンバー２２を設けた構成であり、図７（Ｆ）において、本実施の形態の血圧計１０は、図６（Ｃ）に示す実施の形態の血圧計１０の空気パイプ１６の中間にチャンバー２２を設けた構成である。
【００９５】
次に、本実施の形態の血圧計１０を構成する各部の機能を説明する。本実施の形態の血圧計１０の各部の機能は、図６（Ａ）、図６（Ｂ）、図６（Ｃ）、図６（Ｄ）により説明した実施の形態の血圧計１０の各部の機能と同様である。
【００９６】
本実施の形態の血圧計１０は、チャンバー２１、チャンバー２２、チャンバー２３又はチャンバー２４の内の２個のチャンバーにより、血圧計１０の全体の空気容量を拡張し、雑音を減衰させることにより、血圧を正確に測定することができる。
【００９７】
本実施の形態の血圧計は、生体の一部を圧迫するカフと、前記カフに空気を供給する空気ポンプと、前記カフの内部の空気の圧力を検出する圧力センサと、前記カフの内部の空気を排気する排気バルブと、空気を収容する１つのチャンバーと、を備え、前記カフ、前記空気ポンプ及び前記圧力センサのそれぞれが空気流通経路で相互に接続され、前記排気バルブが前記カフに空気流通経路で接続され、前記カフ、前記空気ポンプ、前記圧力センサ又は前記排気バルブのいずれかのみに接続される空気流通経路のうちいずれかに前記チャンバーが配置されたチャンバー付き血圧計である。
【００９８】
図８（Ａ）、図８（Ｂ）、図８（Ｃ）、図８（Ｄ）に本実施の形態の血圧計の構成を示す。図８（Ａ）、図８（Ｂ）、図８（Ｃ）、図８（Ｄ）において、本実施の形態の血圧計１０は、カフ１、圧力センサ２、空気ポンプ３、排気バルブ４、空気パイプ１１、空気パイプ１２、空気パイプ１３、空気パイプ１５、空気パイプ１７、及びチャンバー２１、チャンバー２２、チャンバー２３又はチャンバー２４により構成されている。
【００９９】
図８（Ａ）、図８（Ｂ）、図８（Ｃ）、図８（Ｄ）において、本実施の形態の血圧計１０は、カフ１と排気バルブ４は空気パイプ１７により接続され、カフ１に空気パイプ１１の一端が接続され、空気ポンプ３に空気パイプ１３の一端が接続され、圧力センサ２に空気パイプ１２の一端が接続され、空気パイプ１１の他の一端と、空気パイプ１３の他の一端及び空気パイプ１５の一端が相互に接続され、空気パイプ１２の他の一端と空気パイプ１５の他の一端が接続された構成に、図８（Ａ）においては、チャンバー２１が空気パイプ１１の中間に設けられ、図８（Ｂ）においては、チャンバー２３が空気パイプ１３の中間に設けられ、図８（Ｃ）においては、チャンバー２２が空気パイプ１２の中間に設けられ、図８（Ｄ）においては、チャンバー２４が空気パイプ１７の中間に接続されている構成である。
【０１００】
次に、本実施の形態の血圧計１０を構成する各部の機能を説明する。本実施の形態の血圧計１０の排気バルブ４、空気パイプ１７、チャンバー２１及びチャンバー２３以外の部分の機能は、図１（Ａ）、図１（Ｂ）、図１（Ｃ）により説明した実施の形態の血圧計１０と同様である。
【０１０１】
排気バルブ４は空気パイプ１７を介して、又は空気パイプ１７及びチャンバー２４を介して、カフ１の内部の空気を排気する機能を有する。
【０１０２】
空気パイプ１７は、カフ１と排気バルブ４の間、又はカフ１とチャンバー２４の間及びチャンバー２４と排気バルブ４の間、の空気を流通させる機能を有する。
【０１０３】
チャンバー２１及びチャンバー２３は内部の空間に空気を収容し、血圧計１０の全体の空気容量を拡張し、さらに内部の空気を伝搬する音波を減衰させ、特にチャンバー２１はカフ１及び排気バルブ４で発生し圧力センサ２に妨害を与える雑音を減衰させ、チャンバー２３は空気ポンプ３で発生し圧力センサ２に妨害を与える雑音を減衰させる機能を有する。
【０１０４】
本実施の形態の血圧計１０は、チャンバー２１、チャンバー２２、チャンバー２３又はチャンバー２４により、血圧計１０の全体の空気容量を拡張し、雑音を減衰させることにより、血圧を正確に測定することができる。
【０１０５】
本実施の形態の血圧計は、生体の一部を圧迫するカフと、前記カフに空気を供給する空気ポンプと、前記カフの内部の空気の圧力を検出する圧力センサと、前記カフの内部の空気を排気する排気バルブと、空気を収容する２つのチャンバーと、を備え、前記カフ、前記空気ポンプ及び前記圧力センサのそれぞれが空気流通経路で相互に接続され、前記排気バルブが前記カフに空気流通経路で接続され、前記カフ、前記空気ポンプ、前記圧力センサ又は前記排気バルブのいずれかのみに接続される空気流通経路のうち２箇所に前記チャンバーが配置されたチャンバー付き血圧計である。
【０１０６】
図９（Ａ）、図９（Ｂ）、図９（Ｃ）、図９（Ｄ）、図９（Ｅ）、図９（Ｆ）に、本実施の形態の血圧計の構成を示す。
【０１０７】
図９（Ａ）において、本実施の形態の血圧計１０は、図８（Ａ）に示す実施の形態の血圧計１０の空気パイプ１３の中間にチャンバー２３を設けた構成であり、図９（Ｂ）において、本実施の形態の血圧計１０は、図８（Ａ）に示す実施の形態の血圧計１０の空気パイプ１２の中間にチャンバー２２を設けた構成であり、図９（Ｃ）において、本実施の形態の血圧計１０は、図８（Ａ）に示す実施の形態の血圧計１０の空気パイプ１７の中間にチャンバー２４を設けた構成であり、図９（Ｄ）において、本実施の形態の血圧計１０は、図８（Ｂ）に示す実施の形態の血圧計１０の空気パイプ１２の中間にチャンバー２２を設けた構成であり、図９（Ｅ）において、本実施の形態の血圧計１０は、図８（Ｂ）に示す実施の形態の血圧計１０の空気パイプ１７の中間にチャンバー２４を設けた構成であり、図９（Ｆ）において、本実施の形態の血圧計１０は、図８（Ｃ）に示す実施の形態の血圧計１０の空気パイプ１７の中間にチャンバー２４を設けた構成である。
【０１０８】
次に、本実施の形態の血圧計１０を構成する各部の機能を説明する。本実施の形態の血圧計１０の各部の機能は、図８（Ａ）、図８（Ｂ）、図８（Ｃ）、図８（Ｄ）により説明した実施の形態の血圧計１０の各部の機能と同様である。
【０１０９】
本実施の形態の血圧計１０は、チャンバー２１、チャンバー２２、チャンバー２３又はチャンバー２４の内の２個のチャンバーにより、血圧計１０の全体の空気容量を拡張し、雑音を減衰させることにより、血圧を正確に測定することができる。
【０１１０】
本実施の形態の血圧計は、生体の一部を圧迫するカフと、前記カフに空気を供給する空気ポンプと、前記カフの内部の空気の圧力を検出する圧力センサと、前記カフの内部の空気を排気する排気バルブと、空気を収容する１つのチャンバーと、を備え、前記カフ、前記圧力センサ及び前記排気バルブのそれぞれが空気流通経路で相互に接続され、前記空気ポンプが前記カフに空気流通経路で接続され、前記カフ、前記空気ポンプ、前記圧力センサ又は前記排気バルブのいずれかのみに接続される空気流通経路のうちいずれかに前記チャンバーが配置されたチャンバー付き血圧計である。
【０１１１】
図１０（Ａ）、図１０（Ｂ）、図１０（Ｃ）、図１０（Ｄ）に本実施の形態の血圧計の構成を示す。図１０（Ａ）、図１０（Ｂ）、図１０（Ｃ）、図１０（Ｄ）において、本実施の形態の血圧計１０は、カフ１、圧力センサ２、空気ポンプ３、排気バルブ４、空気パイプ１１、空気パイプ１２、空気パイプ１４、空気パイプ１５、空気パイプ１８、及びチャンバー２１、チャンバー２２、チャンバー２３又はチャンバー２４により構成されている。
【０１１２】
図１０（Ａ）、図１０（Ｂ）、図１０（Ｃ）、図１０（Ｄ）において、本実施の形態の血圧計１０は、カフ１と空気ポンプ３は空気パイプ１８により接続され、カフ１に空気パイプ１１の一端が接続され、圧力センサ２に空気パイプ１２の一端が接続され、排気バルブ４に空気パイプ１４の一端が接続され、空気パイプ１１の他の一端と、空気パイプ１４の他の一端及び空気パイプ１５の一端が相互に接続され、空気パイプ１２の他の一端と空気パイプ１５の他の一端が接続された構成に、図１０（Ａ）においては、さらにチャンバー２１が空気パイプ１１の中間に設けられ、図１０（Ｂ）においては、さらにチャンバー２４が空気パイプ１４の中間に設けられ、図１０（Ｃ）においては、さらにチャンバー２２が空気パイプ１２の中間に設けられ、図１０（Ｄ）においては、さらにチャンバー２３が空気パイプ１８の中間に接続されている構成である。
【０１１３】
次に、本実施の形態の血圧計１０を構成する各部の機能を説明する。本実施の形態の血圧計１０の空気ポンプ３、空気パイプ１８、チャンバー２１及びチャンバー２３以外の部分の機能は、図１（Ａ）、図１（Ｂ）、図１（Ｃ）により説明した実施の形態の血圧計１０と同様である。
【０１１４】
空気ポンプ３は、空気パイプ１８、又は空気パイプ１８及びチャンバー２３を介して、カフ１に空気を供給する機能を有する。
【０１１５】
空気パイプ１８は、カフ１と空気ポンプ３の間、又はカフ１とチャンバー２３の間及びチャンバー２３と空気ポンプ３の間、の空気を流通させる機能を有する。
【０１１６】
チャンバー２１及びチャンバー２３は内部の空間に空気を収容し、血圧計１０の全体の空気容量拡張し、さらに内部の空気を伝搬する音波を減衰させる機能を有し、特にチャンバー２１はカフ１又は空気ポンプ３で発生し圧力センサ２に妨害を与える雑音を減衰させ、チャンバー２３は空気ポンプ３で発生し圧力センサ２に妨害を与える雑音を減衰させる機能を有する。
【０１１７】
本実施の形態の血圧計１０は、チャンバー２１、チャンバー２２、チャンバー２３又はチャンバー２４により、血圧計１０の全体の空気容量を拡張し、雑音を減衰させることにより、正確に血圧を測定することができる。
【０１１８】
本実施の形態の血圧計は、生体の一部を圧迫するカフと、前記カフに空気を供給する空気ポンプと、前記カフの内部の空気の圧力を検出する圧力センサと、前記カフの内部の空気を排気する排気バルブと、空気を収容する２つのチャンバーと、を備え、前記カフ、前記圧力センサ及び前記排気バルブのそれぞれが空気流通経路で相互に接続され、前記空気ポンプが前記カフに空気流通経路で接続され、前記カフ、前記空気ポンプ、前記圧力センサ又は前記排気バルブのいずれかのみに接続される空気流通経路のうち２箇所に前記チャンバーが配置されたチャンバー付き血圧計である。
【０１１９】
図１１（Ａ）、図１１（Ｂ）、図１１（Ｃ）、図１１（Ｄ）、図１１（Ｅ）、図１１（Ｆ）に、本実施の形態の血圧計の構成を示す。
【０１２０】
図１１（Ａ）において、本実施の形態の血圧計１０は、図１０（Ａ）に示す実施の形態の血圧計１０の空気パイプ１４の中間にチャンバー２４を設けた構成であり、図１１（Ｂ）において、本実施の形態の血圧計１０は、図１０（Ａ）に示す実施の形態の血圧計１０の空気パイプ１２の中間にチャンバー２２を設けた構成であり、図１１（Ｃ）において、本実施の形態の血圧計１０は、図１０（Ａ）に示す実施の形態の血圧計１０の空気パイプ１８の中間にチャンバー２３を設けた構成であり、図１１（Ｄ）において、本実施の形態の血圧計１０は、図１０（Ｂ）に示す実施の形態の血圧計１０の空気パイプ１２の中間にチャンバー２２を設けた構成であり、図１１（Ｅ）において、本実施の形態の血圧計１０は、図１０（Ｂ）に示す実施の形態の血圧計１０の空気パイプ１８の中間にチャンバー２３を設けた構成であり、図１１（Ｆ）において、本実施の形態の血圧計１０は、図１０（Ｃ）に示す実施の形態の血圧計１０の空気パイプ１８の中間にチャンバー２３を設けた構成である。
【０１２１】
次に、本実施の形態の血圧計１０を構成する各部の機能を説明する。本実施の形態の血圧計１０の各部の機能は、図１０（Ａ）、図１０（Ｂ）、図１０（Ｃ）、図１０（Ｄ）により説明した実施の形態の血圧計１０の各部の機能と同様である。
【０１２２】
本実施の形態の血圧計１０は、チャンバー２１、チャンバー２２、チャンバー２３又はチャンバー２４の内の２個のチャンバーにより、血圧計１０の全体の空気容量を拡張し、雑音を減衰させることにより、血圧を正確に測定することができる。
【０１２３】
本実施の形態の血圧計は、前記チャンバーは空気容量を拡張するための取り外し可能な増設チャンバーをさらに備えるチャンバー付き血圧計としてもよい。
【０１２４】
本実施の形態の血圧計は、図１から図１１により説明した実施の形態の血圧計１０に前記増設チャンバーを設けた構成であるので、ここでは代表例として、図１（Ａ）により説明した実施の形態の血圧計１０のチャンバー２１に前記増設チャンバーを備えた場合を説明する。
【０１２５】
図１２に本実施の形態の血圧計１０の構成を示す。図１２において、本実施の形態の血圧計１０は、図１（Ａ）により説明した実施の形態の血圧計１０のチャンバー２１に空気パイプ４１を介して増設チャンバー３１を接続した構成である。
【０１２６】
次に、本実施の形態の血圧計１０の各部の機能を説明する。本実施の形態の血圧計１０の空気パイプ４１及び増設チャンバー３１以外の部分の機能は、図１（Ａ）により説明した実施の形態の血圧計１０の各部の機能と同様である。
【０１２７】
空気パイプ４１の一端はチャンバー２１との間に着脱可能な機構を有し、さらに空気パイプ４１の他の一端は増設チャンバー３１に接続されており、空気パイプ４１はチャンバー２１に接続された場合、チャンバー２１と増設チャンバー３１の間の空気を流通させる機能を有する。
【０１２８】
増設チャンバー３１は、空気パイプ４１を介してチャンバー２１へ接続された場合、内部に空気を収容してチャンバー２１の空気容量を拡張させる機能を有する。
【０１２９】
本実施の形態の血圧計１０は、空気容量が不足した場合、チャンバー２１に空気パイプ４１を介して増設チャンバー３１を接続し、チャンバー２１の空気容量を拡張し、血圧を正確に測定することができる。
【０１３０】
本実施の形態の血圧計は、前記チャンバーと前記増設チャンバーとの間に空気の流通を遮断する弁を備えることを特徴とするチャンバー付き血圧計としてもよい。
【０１３１】
図１３に本実施の形態の血圧計の構成を示す。図１３において、本実施の形態の血圧計１０は、図１２により説明した実施の形態の血圧計１０の空気パイプ４１の中間に空気を遮断する弁５１を設けた構成である。
【０１３２】
次に、本実施の形態の血圧計１０を構成する各部の機能を説明する。本実施の形態の血圧計１０の弁５１以外の部分の機能は、図１２により説明した実施の形態の血圧計１０の各部の機能と同様である。
【０１３３】
弁５１は空気パイプ４１の空気の流通経路を開閉し、チャンバー２１と増設チャンバー３１の間で空気を遮断、あるいは空気を流通させる機能を有する。
【０１３４】
本実施の形態の血圧計１０は、空気容量が不足の場合、弁５１を開放して増設チャンバー３１とチャンバー２１の間の空気を流通させて空気容量を拡張し、空気容量が過剰な場合、弁５１を閉鎖してチャンバー２１と増設チャンバー３１の間の空気の流通を遮断して空気容量を縮小させ、血圧を測定する。
【０１３５】
上記のように、本実施の形態の血圧計１０は、弁５１を開閉し、空気容量を適切な状態に調整して、血圧を正確に測定することができる。
【０１３６】
本実施の形態の血圧計は、前記チャンバー又は前記増設チャンバーは、空気の圧力に応じて膨張するチャンバー付き血圧計としてもよい。
【０１３７】
本実施の形態の血圧計は、図１から図１３により説明した実施の形態の血圧計において、前記チャンバー又は前記増設チャンバーを空気の圧力に応じて膨張するチャンバーとした場合であり、本実施の形態の前記血圧計の構成は図１から図１３により説明した実施の形態の血圧計１０と同様であるので、ここでは代表例として、本実施の形態の前記血圧計を図１（Ａ）により説明した実施の形態の血圧計１０として説明する。
【０１３８】
図１（Ａ）において、本実施の形態の血圧計１０は、チャンバー２１は空気の圧力に応じて膨張するチャンバーである。
【０１３９】
次に本実施の形態の血圧計１０の各部の機能を説明する。本実施の形態の血圧計１０のチャンバー２１以外の部分の機能は、図１（Ａ）により説明した実施の形態の血圧計１０と同様である。
【０１４０】
チャンバー２１は、図１（Ａ）により説明した実施の形態の血圧計１０のチャンバー２１の機能に加えて、空気の圧力に応じて膨張し、空気容量が変化する機能を有する。
【０１４１】
本実施の形態の血圧計１０は、カフ１の空気の圧力が高い場合、チャンバー２１は膨張して空気容量が拡張し、一方、カフ１の空気の圧力が低い場合、チャンバー２１の膨張量が少なく、カフ１の圧力に応じて空気容量が変化し、血圧を簡易に、正確に測定することができる。
【０１４２】
本実施の形態の血圧計は、前記チャンバーの空気容量は前記カフの空気容量と同等以上、１０倍以下であるチャンバー付き血圧計としてもよい。
【０１４３】
本実施の形態の血圧計の前記チャンバーの空気容量は、図１から図１３により説明した実施の形態の血圧計１０に適用できるので、ここでは、代表例として、図１（Ａ）により説明した実施の形態の血圧計１０を、本実施の形態の前記血圧計として説明する。
【０１４４】
図１（Ａ）において、本実施の形態の血圧計１０の構成、各部の機能は、図１（Ａ）により説明した実施の形態の血圧計１０と同様であり、チャンバー２１の空気容量はカフ１の空気容量と同等以上、１０倍以下である。
【０１４５】
本実施の形態の血圧計１０のチャンバー２１の空気容量を、カフ１の空気容量と同等以上とすることにより、カフ１で発生する雑音を減衰させる効果が得られ、チャンバー２１の空気容量をカフ１の空気容量の１０倍程度とすることにより、カフ１が圧迫する前記生体の一部の動きによりカフ１で発生する低周波雑音を減衰させる効果は大きいが、チャンバー２１の空気容量をさらに拡張して、カフ１の空気容量の１０倍以上としても、カフ１で発生する雑音を減衰させる効果は増大しないので、チャンバー２１の空気容量はカフ１の空気容量と同等以上、１０倍以下とすることにより、チャンバー２１の大きさを過大にすることなく効率よくカフ１で発生する雑音を減衰させる効果を得られる。
【０１４６】
上記のように、本実施の形態の血圧計１０は、チャンバー２１の空気容量をカフ１の空気容量と同等以上、１０倍以下とすることにより、カフ１で発生する雑音を効率よく減衰させ、血圧を効率よく、正確に測定することができる。
【０１４７】
本実施の形態の血圧計は、前記カフの空気容量は１ｃｃ以上、１０ｃｃ以下であるチャンバー付き血圧計としてもよい。
【０１４８】
本実施の形態の血圧計の前記カフは、図１から図１３により説明した実施の形態の血圧計１０に適用できるので、ここでは、代表例として、図１（Ａ）により説明した実施の形態の血圧計１０を、本実施の形態の前記血圧計として説明する。
【０１４９】
図１（Ａ）において、本実施の形態の血圧計１０の構成、各部の機能は、図１（Ａ）により説明した実施の形態の血圧計１０と同様であり、カフ１の空気容量は１ｃｃ以上、１０ｃｃ以下である。
【０１５０】
本実施の形態の血圧計１０は、生体の抹消部において血圧を測定する場合、抹消部の大きさから判断して、カフ１の空気容量は少なくとも１ｃｃ以上は必要であり、かつ１０ｃｃ以下で十分であるので、カフ１の空気容量は１ｃｃ以上、１０ｃｃ以下とすることにより、前記生体の抹消部を効率よく圧迫し、かつ過大にならない構成とすることが可能となり、小型で経済的な血圧計を実現することができる。
【０１５１】
上記のように、本実施の形態の血圧計１０は、カフ１の空気容量を１ｃｃ以上、１０ｃｃ以下とすることにより、血圧を経済的に、正確に測定することができる。
【図面の簡単な説明】
【０１５２】
【図１】本発明の実施の形態の血圧計の構成を示す図である。
【図２】本発明の実施の形態の血圧計の構成を示す図である。
【図３】本発明の実施の形態の血圧計の構成を示す図である。
【図４】本発明の実施の形態の血圧計の構成を示す図である。
【図５】本発明の実施の形態の血圧計の構成を示す図である。
【図６】本発明の実施の形態の血圧計の構成を示す図である。
【図７】本発明の実施の形態の血圧計の構成を示す図である。
【図８】本発明の実施の形態の血圧計の構成を示す図である。
【図９】本発明の実施の形態の血圧計の構成を示す図である。
【図１０】本発明の実施の形態の血圧計の構成を示す図である。
【図１１】本発明の実施の形態の血圧計の構成を示す図である。
【図１２】本発明の実施の形態の血圧計の構成を示す図である。
【図１３】本発明の実施の形態の血圧計の構成を示す図である。
【符号の説明】
【０１５３】
１  カフ
２  圧力センサ
３  空気ポンプ
４  排気バルブ
１０  血圧計
１１  空気パイプ
１２  空気パイプ
１３  空気パイプ
１４  空気パイプ
１５  空気パイプ
１６  空気パイプ
１７  空気パイプ
１８  空気パイプ
２１  チャンバー
２２  チャンバー
２３  チャンバー
２４  チャンバー
２５  チャンバー
３１  増設チャンバー
４１  空気パイプ
５１  弁
【図１】
2006255133.tif 000003
【図２】
2006255133.tif 000004
【図３】
2006255133.tif 000005
【図４】
2006255133.tif 000006
【図５】
2006255133.tif 000007
【図６】
2006255133.tif 000008
【図７】
2006255133.tif 000009
【図８】
2006255133.tif 000010
【図９】
2006255133.tif 000011
【図１０】
2006255133.tif 000012
【図１１】
2006255133.tif 000013
【図１２】
2006255133.tif 000014
【図１３】
2006255133.tif 000015